【手続補正書】
【提出日】平成21年10月5日(2009.10.5)
【手続補正１】
【補正対象書類名】特許請求の範囲
【補正対象項目名】全文
【補正方法】変更
【補正の内容】
【特許請求の範囲】
【請求項１】
ネットワークを介して接続された連携元となる第１の画像形成装置と連携先となる第２の画像形成装置とが連携処理を行う画像処理システムであって、
前記第２の画像形成装置は、
連携待ち状態とする指示を受け付ける受付手段と、
前記指示に従って、前記第２の画像形成装置を連携待ち状態に設定する設定手段とを有し、
前記第１の画像形成装置は、
前記設定手段により連携待ち状態に設定された前記第２の画像形成装置を検索する検索手段と、
前記検索手段による検索結果を表示する表示手段と、
前記表示手段により表示された検索結果に含まれる前記第２の画像形成装置と連携処理を行うように制御する制御手段とを有する
ことを特徴とする画像処理システム。
【請求項２】
前記第２の画像形成装置は、
連携待ち状態の有効期限を設定する有効期限設定手段と、
前記第２の画像形成装置の連携待ち状態を解除する解除手段とをさらに有し、
前記解除手段は、前記有効期限が経過した場合に、前記第２の画像形成装置の連携待ち状態を解除することを特徴とする請求項１に記載の画像処理システム。
【請求項３】
前記解除手段は、前記第２の画像形成装置と前記第１の画像形成装置との連携後、前記第２の画像形成装置の連携待ち状態を自動的に解除することを特徴とする請求項２に記載の画像処理システム。
【請求項４】
前記第２の画像形成装置は、前記設定手段により設定された連携待ち状態とともに暗証番号を設定する暗証番号設定手段をさらに有し、
前記第１の画像形成装置の前記検索手段は、前記設定手段により連携待ち状態に設定され、かつ、前記暗証番号設定手段により設定された暗証番号を有する前記第２の画像形成装置を検索することを特徴とする請求項１に記載の画像処理システム。
【請求項５】
前記第２の画像形成装置は、前記設定手段により設定された連携待ち状態とともにユーザを認証するための認証情報を設定する認証情報設定手段をさらに有し、
前記第１の画像形成装置の前記検索手段は、前記設定手段により連携待ち状態に設定され、かつ、前記認証情報設定手段により設定された認証情報を有する前記第２の画像形成装置を検索することを特徴とする請求項１に記載の画像処理システム。
【請求項６】
前記第１の画像形成装置は、
前記設定手段により連携待ち状態に設定された前記第２の画像形成装置を検索するための検索パケットをネットワークに送信する送信手段をさらに有し、
前記第２の画像形成装置は、
前記送信手段により送信された検索パケットに応じて、前記第２の画像形成装置の名称を含む応答パケットを前記第１の画像形成装置に送信することで応答する応答手段をさらに有し、
前記第２の画像形成装置の前記表示手段は、前記応答パケットに含まれる名称を表示することを特徴とする請求項１乃至５のいずれか１項に記載の画像処理システム。
【請求項７】
ネットワークを介して接続された機器との連携処理を行う情報処理装置であって、
ユーザからの指示に従って連携待ち状態に設定された機器を、前記ネットワークを介して検索する検索手段と、
前記検索手段による検索結果を表示する表示手段と、
前記表示手段に表示された検索結果に含まれる機器との間で連携処理を行う処理手段と
を有することを特徴とする情報処理装置。
【請求項８】
前記検索手段は、前記連携待ち状態に設定された機器を検索するための検索パケットを、前記ネットワークを介してブロードキャストで発行し、前記連携待ち状態に設定された機器から当該検索パケットに応じて返送される応答パケットを受信することにより、前記連携待ち状態に設定された機器を検索することを特徴とする請求項７に記載の情報処理装置。
【請求項９】
前記検索手段は、前記連携待ち状態に設定され、かつ、前記機器において設定された暗証番号を有する機器を検索することを特徴とする請求項７に記載の情報処理装置。
【請求項１０】
前記検索手段は、前記連携待ち状態に設定され、かつ、前記機器において設定されたユーザを認証するための認証情報を有する機器を検索することを特徴とする請求項７に記載の情報処理装置。
【請求項１１】
ネットワークを介して接続された連携元となる第１の画像形成装置と連携先となる第２の画像形成装置とが連携処理を行う画像処理システムの制御方法であって、
前記第２の画像形成装置が、連携待ち状態とする指示を受け付けて、前記第２の画像形成装置を連携待ち状態に設定する第１の設定工程と、
前記第１の画像形成装置が、前記第１の設定工程において連携待ち状態に設定された前記第２の画像形成装置を検索する検索工程と、
前記第１の画像形成装置が、前記検索工程において検索結果を表示する表示工程と、
前記第１の画像形成装置が、前記表示工程において表示された検索結果に含まれる前記第２の画像形成装置と連携処理を行うように制御する制御工程と
を有することを特徴とする画像処理システムの制御方法。
【請求項１２】
前記第２の画像形成装置が、連携待ち状態の有効期限を設定する有効期限設定工程と、
前記第２の画像形成装置が、前記第２の画像形成装置の連携待ち状態を解除する解除工程とをさらに有し、
前記解除工程は、前記有効期限が経過した場合に、前記第２の画像形成装置の連携待ち状態を解除することを特徴とする請求項１１に記載の画像処理システムの制御方法。
【請求項１３】
前記解除工程は、前記第２の画像形成装置と前記第１の画像形成装置との連携後、前記第２の画像形成装置の連携待ち状態を解除することを特徴とする請求項１２に記載の画像処理システムの制御方法。
【請求項１４】
前記第２の画像形成装置が、前記第１の設定工程において設定された連携待ち状態とともに暗証番号または認証情報を設定する第２の設定工程をさらに有し、
前記第１の画像形成装置が、前記検索工程において、前記第１の設定工程において連携待ち状態に設定され、かつ、前記第２の設定工程において設定された暗証番号または認証情報を有する前記第２の画像形成装置を検索することを特徴とする請求項１１に記載の画像処理システムの制御方法。
【手続補正２】
【補正対象書類名】明細書
【補正対象項目名】０００４
【補正方法】変更
【補正の内容】
【０００４】
そして、実際に連携する機器を設定するためには、まずユーザは、その連携先の機器の固有情報を紙にメモする等して覚える必要がある。その上、そのメモを基にＩＰアドレス等の固有情報を指定して連携先の機器を指定する。又は、その連携先の機器の検索機能を用いて連携先機器のリストを表示させ、前述のメモを基に、その検索結果から対象の機器を決定するといった操作が必要となる。
【手続補正３】
【補正対象書類名】明細書
【補正対象項目名】００６６
【補正方法】変更
【補正の内容】
【００６６】
以上説明したように本実施の形態１によれば、連携先となる機器を予め連携待ち状態にしておき、その後、連携元の機器から、その連携先となる機器を検索して、連携元の機器と連携先の機器とで連携処理を行うことができる。
【手続補正４】
【補正対象書類名】明細書
【補正対象項目名】００１１
【補正方法】変更
【補正の内容】
【００１１】
上記目的を達成するために本発明の一態様に係る画像処理システムは以下のような構成を備える。
ネットワークを介して接続された連携元となる第１の画像形成装置と連携先となる第２の画像形成装置とが連携処理を行う画像処理システムであって、
前記第２の画像形成装置は、
連携待ち状態とする指示を受け付ける受付手段と、
前記指示に従って、前記第２の画像形成装置を連携待ち状態に設定する設定手段とを有し、
前記第１の画像形成装置は、
前記設定手段により連携待ち状態に設定された前記第２の画像形成装置を検索する検索手段と、
前記検索手段による検索結果を表示する表示手段と、
前記表示手段により表示された検索結果に含まれる前記第２の画像形成装置と連携処理を行うように制御する制御手段とを有する
ことを特徴とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】